(57)【要約】利用可能なアクセスのうちの複数からアクセスを選択するための少なくとも１つのインジケーションを含む少なくとも１つのポリシーを受信することと、データ・フローに基づいて選択基準を決定することと、決定された選択基準と、少なくとも１つのインジケーションとに基づいて、アクセスを選択することと、を含み、選択基準に基づいてデータ・フローを割り当てるための装置および方法。一例において、選択基準は、下記のうちの１つである。データ・フローのための帯域幅要件、データ・フローを生成するアプリケーション、データ・フローを伝送するために使用されるプロトコル、ファイル・サイズ、アプリケーション名／ＩＤ、役割ＩＤ、または、データ・フローのスループット。一例において、ポリシーは、アクセス・ネットワーク発見および選択機能（ＡＮＤＳＦ）モジュールから受信された管理オブジェクト（ＭＯ）であり、選択されたアクセスは、無線ローカル・エリア・ネットワーク（ＷＬＡＮ）向け、ＬＴＥネットワーク向け、または、３ＧＰＰサービス向けである。
2013517708.tif 000002
【特許請求の範囲】
【請求項１】
選択基準に基づいてデータ・フローを割り当てるための方法であって、
複数の利用可能なアクセスからアクセスを選択するための少なくとも１つのインジケーションを含む少なくとも１つのポリシーを受信することと、
前記データ・フローに基づいて選択基準を決定することと、
前記決定された選択基準および前記少なくとも１つのインジケーションに基づいて、前記アクセスを選択することと、
を備える方法。
【請求項２】
前記選択基準は、前記データ・フローの帯域幅要件、前記データ・フローを生成するアプリケーション、前記データ・フローを伝送するために使用されるプロトコル、ファイル・サイズ、アプリケーション名／ＩＤ、役割ＩＤ、または、前記データ・フローのスループットのうちの１つである、請求項１に記載の方法。
【請求項３】
前記少なくとも１つのポリシーは、ネットワーク・エンティティから受信した管理オブジェクト（ＭＯ）を含む、請求項１に記載の方法。
【請求項４】
前記ネットワーク・エンティティは、アクセス・ネットワーク発見および選択機能（ＡＮＤＳＦ）モジュールである、請求項３に記載の方法。
【請求項５】
前記少なくとも１つのインジケーションは、
定義された値よりも高いデータ・レートを割り当てるデータ・フローのためのアクセスを使用することと、
特定のタイプのアプリケーションまたはプロトコルによって生成されているか、または、特定の使用された帯域幅を使用するデータ・フローのためのアクセスを使用することと、
前記データ・フローのおのおのについて許容されているスループットに基づくアクセスを使用することと、
のうちの１つを示す、請求項１に記載の方法。
【請求項６】
前記少なくとも１つのインジケーションは、アクセス・ネットワーク発見および選択機能（ＡＮＤＳＦ）モジュールから受信した管理オブジェクトの一部である、請求項５に記載の方法。
【請求項７】
前記少なくとも１つのインジケーションは、最小使用帯域幅または最大使用帯域幅の何れかを示す、請求項１に記載の方法。
【請求項８】
前記少なくとも１つのインジケーションは、アクセス・ネットワーク発見および選択機能（ＡＮＤＳＦ）モジュールから受信した管理オブジェクトの一部であり、前記選択されたアクセスは、無線ローカル・エリア・ネットワーク（ＷＬＡＮ）向け、または３ＧＰＰサービス向けである、請求項７に記載の方法。
【請求項９】
選択基準に基づいてデータ・フローを割り当てるための装置であって、
利用可能なアクセスのうちの複数からアクセスを選択するための少なくとも１つのインジケーションを含む少なくとも１つのポリシーを受信する手段と、
前記データ・フローに基づいて選択基準を決定する手段と、
前記決定された選択基準および少なくとも１つのインジケーションに基づいて、前記アクセスを選択する手段と、
を備える装置。
【請求項１０】
前記選択基準は、前記データ・フローの帯域幅要件、前記データ・フローを生成するアプリケーション、前記データ・フローを伝送するために使用されるプロトコル、ファイル・サイズ、アプリケーション名／ＩＤ、役割ＩＤ、または、前記データ・フローのスループット、のうちの１つである、請求項９に記載の装置。
【請求項１１】
前記少なくとも１つのポリシーは、ネットワーク・エンティティから受信した管理オブジェクト（ＭＯ）を含む、請求項９に記載の装置。
【請求項１２】
前記ネットワーク・エンティティは、アクセス・ネットワーク発見および選択機能（ＡＮＤＳＦ）モジュールである、請求項１１に記載の装置。
【請求項１３】
前記少なくとも１つのインジケーションは、
定義された値よりも高いデータ・レートを割り当てるデータ・フローのためのアクセスを使用することと、
特定のタイプのアプリケーションまたはプロトコルによって生成されているか、または、特定の使用された帯域幅を使用するデータ・フローのためのアクセスを使用することと、
前記データ・フローのおのおのについて許容されているスループットに基づくアクセスを使用することと、
のうちの１つを示す、請求項９に記載の装置。
【請求項１４】
前記少なくとも１つのインジケーションは、アクセス・ネットワーク発見および選択機能（ＡＮＤＳＦ）モジュールから受信した管理オブジェクトの一部である、請求項１３に記載の装置。
【請求項１５】
前記少なくとも１つのインジケーションは、最小使用帯域幅または最大使用帯域幅の何れかを示す、請求項９に記載の装置。
【請求項１６】
前記少なくとも１つのインジケーションは、アクセス・ネットワーク発見および選択機能（ＡＮＤＳＦ）モジュールから受信した管理オブジェクトの一部であり、前記選択されたアクセスは、無線ローカル・エリア・ネットワーク（ＷＬＡＮ）向け、または３ＧＰＰサービス向けである、請求項１５に記載の装置。
【請求項１７】
選択基準に基づいてデータ・フローを割り当てるためのユーザ機器であって、
利用可能なアクセスのうちの複数からアクセスを選択するための少なくとも１つのインジケーションを含む少なくとも１つのポリシーを受信するための受信機と、
前記データ・フローに基づいて選択基準を決定し、前記決定された選択基準および前記少なくとも１つのインジケーションに基づいてアクセスを選択するためのプロセッサと、
を備えるユーザ機器。
【請求項１８】
前記選択基準は、前記データ・フローの帯域幅要件、前記データ・フローを生成するアプリケーション、前記データ・フローを伝送するために使用されるプロトコル、ファイル・サイズ、アプリケーション名／ＩＤ、役割ＩＤ、または、前記データ・フローのスループット、のうちの１つである、請求項１７に記載のユーザ機器。
【請求項１９】
前記少なくとも１つのポリシーは、ネットワーク・エンティティから受信した管理オブジェクト（ＭＯ）を含む、請求項１７に記載のユーザ機器。
【請求項２０】
前記ネットワーク・エンティティは、アクセス・ネットワーク発見および選択機能（ＡＮＤＳＦ）モジュールである、請求項１９に記載のユーザ機器。
【請求項２１】
前記少なくとも１つのインジケーションは、
定義された値よりも高いデータ・レートを割り当てるデータ・フローのためのアクセスを使用することと、
特定のタイプのアプリケーションまたはプロトコルによって生成されているか、または、特定の使用された帯域幅を使用するデータ・フローのためのアクセスを使用することと、
前記データ・フローのおのおのについて許容されているスループットに基づくアクセスを使用することと、
のうちの１つを示す、請求項１７に記載のユーザ機器。
【請求項２２】
前記少なくとも１つのインジケーションは、アクセス・ネットワーク発見および選択機能（ＡＮＤＳＦ）モジュールから受信した管理オブジェクトの一部である、請求項２１に記載のユーザ機器。
【請求項２３】
前記少なくとも１つのインジケーションは、最小使用帯域幅または最大使用帯域幅の何れかを示す、請求項１７に記載のユーザ機器。
【請求項２４】
前記少なくとも１つのインジケーションは、アクセス・ネットワーク発見および選択機能（ＡＮＤＳＦ）モジュールから受信した管理オブジェクトの一部であり、前記選択されたアクセスは、無線ローカル・エリア・ネットワーク（ＷＬＡＮ）向け、または３ＧＰＰサービス向けである、請求項２３に記載のユーザ機器。
【請求項２５】
格納されたプログラム・コードを含むコンピュータ読取可能な媒体であって、
利用可能なアクセスのうちの複数からアクセスを選択するための少なくとも１つのインジケーションを含む少なくとも１つのポリシーを受信するためのプログラム・コードと、
前記データ・フローに基づいて選択基準を決定するためのプログラム・コードと、
前記決定された選択基準および前記少なくとも１つのインジケーションに基づいて、前記アクセスを選択するためのプログラム・コードと、
を備えるコンピュータ読取可能な媒体。
【発明の詳細な説明】
【優先権主張】
【０００１】
本特許出願は、「帯域幅要件を示すインジケーションに基づいて、データ・フローを割り当てるための方法およびシステム」（Method and System for Allocating Data Flows Based on Indication of Bandwidth Requirements）と題された２０１０年１月１５日出願の米国特許仮出願６１／２９５，５８１号に対する優先権を主張する。この仮出願は、本明細書の譲受人に譲渡され、本明細書に参照によって明確に組み込まれている。
【技術分野】
【０００２】
本開示は、一般に、無線通信のための装置および方法に関する。さらに詳しくは、本開示は、選択基準を示すインジケーションに基づいて、データ・フローを割り当てることに関連する。
【背景技術】
【０００３】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
一般に、無線多元接続通信システムは、複数の無線端末のための通信を同時にサポートすることができる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力、複数入力単一出力、あるいは、複数入力複数出力（ＭＩＭＯ）システムによって確立されうる。
【０００５】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【発明の概要】
【０００７】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
選択基準を示すインジケーションに基づいて、データ・フローを割り当てるための装置および方法が開示される。１つの態様によれば、選択基準に基づいてデータ・フローを割り当てるための方法は、以下を含む。利用可能なアクセスのうちの複数から、アクセスを選択するための少なくとも１つのインジケーションを含む少なくとも１つのポリシーを受信することと、データ・フローに基づいて選択基準を決定することと、決定された選択基準および少なくとも１つのインジケーションに基づいて、アクセスを選択すること。
【０００９】
別の態様によれば、選択基準に基づいてデータ・フローを割り当てるための装置（またはデバイス）が開示される。この装置は、少なくとも１つのポリシーを受信する手段を含む。このポリシーは、利用可能なアクセスのうちの複数から、アクセスを選択するための少なくとも１つのインジケーションを含みうる。この装置はさらに、データ・フローに基づいて選択基準を決定する手段と、決定された選択基準および少なくとも１つのインジケーションに基づいて、アクセスを選択する手段とを含む。
【００１０】
別の態様によれば、選択基準に基づいて、データ・フローを割り当てるための装置が開示されている。この装置は、利用可能なアクセスのうちの複数からアクセスを選択するための少なくとも１つのインジケーションを含む少なくとも１つのポリシーを受信するためのトランシーバと、データ・フローに基づいて選択基準を決定し、決定された選択基準および少なくとも１つのインジケーションに基づいてアクセスを選択するためのプロセッサとを含む。
【００１１】
別の態様によれば、格納されたプログラム・コードを含む、非一時的なコンピュータ読取可能な媒体が開示されている。このプログラム・コードは、利用可能なアクセスのうちの複数からアクセスを選択するための少なくとも１つのインジケーションを含む少なくとも１つのポリシーを受信するためのプログラム・コードと、データ・フローに基づいて選択基準を決定するためのプログラム・コードと、決定された選択基準および少なくとも１つのインジケーションに基づいて、アクセスを選択するためのプログラム・コードとを含みうる。
【００１２】
本開示の利点は、データ・フロー割当において高められた効率と、データ・フローのためのスループットを向上することとを含みうる。
【００１３】
例示によってさまざまな態様が図示および記載された以下の詳細説明から、その他の態様も、当業者に容易に明らかになるであろうことが理解される。これら図面および詳細説明は、本質的に例示的であり、限定的であるとはみなされない。
【図面の簡単な説明】
【００１４】
【図１】図１は、多元接続無線通信システムの例を例示する。
【図２】図２は、（アクセス・ポイントとしても知られている）送信機システムと（アクセス端末としても知られている）受信機システムとのブロック図の例を例示する。
【図３】図３は、イボルブド・パケット・システム（ＥＰＳ）の例を例示する。
【図４】図４は、アクセス・ネットワーク発見および選択機能（ＡＮＤＳＦ）エンティティの管理オブジェクト（ＭＯ）の例を例示する。
【図５】図５は、選択基準に基づいてデータ・フローを割り当てるための第１の例のフロー図を例示する。
【図６】図６は、選択基準に基づいてデータ・フローを割り当てるための第１の例のデバイスを例示する。
【図７】図７は、選択基準に基づいてデータ・フローを割り当てるための第２の例のフロー図を例示する。
【図８】図８は、選択基準に基づいてデータ・フローを割り当てるための第２の例のデバイスを例示する。
【図９】図９は、選択基準に基づいてデータ・フローを割り当てるための処理を実行するために、メモリと通信するプロセッサを含むデバイスの例を例示する。
【発明を実施するための形態】
【００１５】
添付図面とともに以下に説明する詳細説明は、本開示のさまざまな態様の説明として意図されており、本開示が実現される態様のみを表すことは意図されていない。本開示で記載されたおのおのの態様は、単に、本開示の例示または例として提供されており、他の態様よりも好適であるとか有利であるとか必ずしも解釈されるべきではない。詳細説明は、本開示の完全な理解を提供することを目的とした具体的な詳細を含んでいる。しかしながら、本開示は、これら具体的な詳細なしで実現されうることが当業者に明らかになるだろう。いくつかの事例では、本開示の概念を不明確にすることを避けるために、周知の構成およびデバイスが、ブロック図形式で示される。単に利便性および明確性のために、頭文字および他の記述的な用語が使用されるが、本開示の範囲を限定することは意図されていない。
【００１６】
説明を単純にする目的で、これら方法は、一連の動作として示され説明されているが、これら方法は、１または複数の態様にしたがって、幾つかの動作が本明細書で示され記載されたものとは異なる順序で、あるいは他の動作と同時に生じうるので、動作の順序によって限定されない  ことが理解され認識されるべきである。例えば、当業者であれば、これら方法はこの代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００１７】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および時分割シンクロナス符号分割多元接続（ＴＤ−ＳＣＤＭＡ）（別名、低チップ・レート（ＬＣＲ））を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。
【００１８】
単一キャリア変調および周波数領域等値化を利用するシングル・キャリア周波数分割多元接続（ＳＣ−ＦＤＭＡ）は、ＯＦＤＭＡシステムのものと同等のパフォーマンスと、実質的に同じ全体的な複雑さとを持つ技術である。ＳＣ−ＦＤＭＡ信号は、固有の単一キャリア構造により、低いピーク対平均電力比（ＰＡＰＲ）を有しうる。ＳＣ−ＦＤＭＡは、送信電力効率の観点から、低いＰＡＰＲがモバイル端末に利益をもたらすアップリンク通信において利用されうる。
【００１９】
図１を参照して、１つの実施形態にしたがった多元接続無線通信システムが例示される。アクセス・ポイント１００（ＡＰ）は、１つは１０４，１０６を含み、他のものは１０８，１１０を含み、さらに他のものは１１２，１１４を含む複数のアンテナ・グループを含んでいる。図１では、２本のアンテナだけが各アンテナ・グループのために示されている。しかしながら、２本より多い、または、２本より少ないアンテナが、各アンテナ・グループのために利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６はおのおの、通信のために異なる周波数を使用することができる。
【００２０】
例えば、順方向リンク１２０は、逆方向リンク１１８によって使用されるものとは異なる周波数を使用することができる。
【００２１】
通信するように設計された領域および／またはアンテナのおのおののグループは、アクセス・ポイントのセクタと称されうる。１つの態様では、アンテナ・グループはおのおの、アクセス・ポイント１００によってカバーされる領域のセクタ内のアクセス端末と通信するように設計される。
【００２２】
順方向リンク１２０，１２６による通信では、アクセス・ポイント１００の送信アンテナは、別のアクセス端末１１６，１２２のための順方向リンクの信号対雑音比を改善するために、ビームフォーミングを利用することができる。さらに、有効通信範囲領域をわたってランダムに分布しているアクセス端末へ送信するためにビームフォーミングを用いるアクセス・ポイントは、すべてのアクセス端末に対して単一のアンテナによって送信しているアクセス・ポイントよりも、近隣セル内のアクセス端末に対して少ない干渉しかもたらさない。
【００２３】
アクセス・ポイントは、端末と通信するために使用される固定局であり、アクセス・ポイント、ノードＢ、ｅノードＢ、またはその他いくつかの用語でも称されうる。アクセス端末はまた、モバイル端末、ユーザ機器（ＵＥ）、無線通信デバイス、端末、ユーザ端末、または、その他のいくつかの用語で称されうる。
【００２４】
図２は、（アクセス・ポイントとしても知られている）送信機システム２１０および（アクセス端末としても知られている）受信機システム２５０のブロック図の例を例示する。送信機システム２１０では、多くのデータ・ストリーム用のトラフィック・データが、データ・ソース２１２から送信（ＴＸ）データ・プロセッサ２１４に提供される。
【００２５】
１つの態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２６】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２７】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００２８】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２９】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３０】
ＲＸデータ・プロセッサ２６０は、その後、ＮＲ個の受信機２５４からＮＲ個のシンボル・ストリームを受信し、受信されたこれらシンボル・ストリームを、特定の受信処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００３１】
プロセッサ２７０は、どのプリコーディング行列を利用するのかを定期的に決定する。プロセッサ２７０は、行列インデクス部およびランク値部を含む逆方向リンク・メッセージを規定する。
【００３２】
逆方向リンク・メッセージは、通信リンクおよび／または受信されたデータ・ストリームに関するさまざまなタイプの情報を含みうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３３】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定し、この抽出されたメッセージを処理する。
【００３４】
態様では、論理チャネルが、制御チャネルとトラフィック・チャネルとに分類される。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためのマルチメディア・ブロードキャスト、および／または、１またはいくつかのマルチキャスト・トラフィック・チャネル（ＭＴＣＨ）のためにマルチキャスト・サービス（ＭＢＭＳ）スケジューリングおよび制御情報を送信するために使用されるポイント・トゥ・マルチポイントＤＬチャネルであるマルチキャスト制御チャネル（ＭＣＣＨ）とを含みうる。一般に、ＲＲＣ接続を確立した後、ＭＣＣＨは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。１つの態様では、論理トラフィック・チャネルは、ユーザ情報の転送のための、ポイント・トゥ・ポイント双方向チャネルであり、１つのＵＥに専用である、専用トラフィック・チャネル（ＤＴＣＨ）を含みうる。また、マルチキャスト・トラフィック・チャネル（ＭＴＣＨ）は、トラフィック・データを送信するためのポイント・トゥ・マルチポイントＤＬチャネルのために使用されうる。
【００３５】
１つの態様では、伝送チャネルは、ダウンリンク（ＤＬ）およびアップリンク（ＵＬ）チャネルに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を含みうる。ＰＣＨは、ＵＥ節電をサポートするために使用され（例えば、ＤＲＸサイクルが、ネットワークによってＵＥへ示され）、セル全体にわたってブロードキャストされ、他の制御／トラフィック・チャネルのために使用されうるＰＨＹリソースへマップされうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを含みうる。ＰＨＹチャネルは、ＤＬチャネルおよびＵＬチャネルのセットを含みうる。
【００３６】
１つの態様では、ＤＬ  ＰＨＹチャネルは、以下のうちの１または複数を含みうる。  
・共通パイロット・チャネル（ＣＰＩＣＨ）、  
・同期チャネル（ＳＣＨ）、  
・共通制御チャネル（ＣＣＣＨ）、  
・共有ＤＬ制御チャネル（ＳＤＣＣＨ）、  
・マルチキャスト制御チャネル（ＭＣＣＨ）、  
・共有ＵＬ割当チャネル（ＳＵＡＣＨ）、  
・アクノレッジメント・チャネル（ＡＣＫＣＨ）、  
・ＤＬ物理共有データ・チャネル（ＤＬ−ＰＳＤＣＨ）、  
・ＵＬ電力制御チャネル（ＵＰＣＣＨ）、  
・ページング・インジケータ・チャネル（ＰＩＣＨ）、  
・負荷インジケータ・チャネル（ＬＩＣＨ）。
【００３７】
１つの態様では、ＵＬ  ＰＨＹチャネルは、以下のうちの１または複数を含みうる。  
・物理ランダム・アクセス・チャネル（ＰＲＡＣＨ）、  
・チャネル品質インジケータ・チャネル（ＣＱＩＣＨ）、  
・アクノレッジメント・チャネル（ＡＣＫＣＨ）、  
・アンテナ・サブセット・インジケータ・チャネル（ＡＳＩＣＨ）、  
・共有要求チャネル（ＳＲＥＱＣＨ）、  
・ＵＬ物理共有データ・チャネル（ＵＬ−ＰＳＤＣＨ）、  
・ブロードキャスト・パイロット・チャネル（ＢＰＩＣＨ）。
【００３８】
１つの態様では、シングル・キャリア波形の低ＰＡＰＲ特性を保つチャネル構造が提供される（任意の時間において、チャネルは、周波数的に隣接しているか、あるいは一定間隔で配置されている）。
【００３９】
１つの態様では、本開示は、ユーザ機器（ＵＥ）の選択基準を示すインジケーションに基づいて、（例えば、ここでは、ネットワーク、インタフェース、ネットワーク・アクセス、アクセス・ポイント、アクセス・ノード等とも称される）利用可能なアクセスから、異なるインターネット・プロトコル（ＩＰ）フローを割り当てることを開示する。図３は、イボルブド・パケット・システム（ＥＰＳ）の例を例示する。例えば、図３に示すシステム３００の例に示すように、第３世代パートナシップ計画（３ＧＰＰ）イボルブド・パケット・システム（ＥＰＳ）ネットワークは、第１のアクセス３１２および第２のアクセス３１３それぞれを介してＬＴＥ（３ＧＰＰ  ＥＰＳ）ネットワーク３２０および無線ローカル・エリア・ネットワーク（ＷＬＡＮ）３３０の両方に接続されたＵＥ３１０を有する。ＵＥ３１０には、２つのアクセス３１２，３１３との間でデータ・フロー（例えば、ＩＰフロー）をどのように配信するかを示すポリシー３４０が提供されうる。当業者であれば、２つのアクセスしか記載されていないが、本開示は、２つのアクセスに限定されず、本開示の範囲および精神に悪影響を与えることなく、他の数のアクセスも使用されうることを理解するであろう。
【００４０】
一例では、ポリシー３４０を提供するネットワークの構成要素またはモジュールは、アクセス・ネットワーク発見および選択機能（ＡＮＤＳＦ）エンティティまたはモジュール３５０を含みうる。一例では、ＡＮＤＳＦ３５０とＵＥ３１０との間の通信プロトコルは、オープン・モバイル・アライアンス・デバイス管理（ＯＭＡ−ＤＭ）プロトコル等を利用しうる。ＯＭＡ−ＤＭ仕様に基づいて、ＵＥ３１０およびＡＮＤＳＦ３５０によって交換される情報は、管理オブジェクト（ＭＯ）において定義されうる。例えば、ＡＮＤＳＦ−ＵＥ通信のためのＭＯは、３ＧＰＰ技術仕様ＴＳ２４．３１２等で指定されうる。
【００４１】
１つの態様では、複数のアクセス間でデータ・フロー（例えば、ＩＰフロー）を配信するポリシーは、ＵＥに対して、媒体タイプ、ＩＰソース・アドレス、ＩＰ宛先アドレス、ソース・ポート、宛先ポート、またはプロトコル・タイプ等の観点から、記載されたあるデータ・フローのために、どのアクセスが使用されるべきであるかを示しうる。例えば、ＡＮＤＳＦは、ＵＥに対して、例えばハイパテキスト転送プロトコル（ＨＴＴＰ）トラフィックがＷＬＡＮを介して交換されうることのように、宛先ポート８０とのトラフィックのためにＷＬＡＮが使用されるべきであることを示しうる。１つの態様では、例えば通信制御プロトコル（ＴＣＰ）、ユーザ・データグラム・プロトコル（ＵＤＰ）等のようなＩＰスイートの転送レイヤのプロトコルは、ホスト・トゥ・ホスト通信のためのエンドポイントのデータ構造のために、数字の識別子を使用しうる。このようなエンドポイントは、ポート（別名、接続ポートまたは宛先ポート等）として使用されており、識別子は、ポート番号である。例えば、ポート２１は、一般的には、ＦＴＰトラフィック接続を称する。例えば、宛先ポート８０は、ＨＴＴＰトラフィック接続を称する。
【００４２】
１つの態様では、どのアクセスを使用するかについて（例えば、ＬＴＥ（３ＧＰＰ  ＥＰＳ）ネットワーク３２０へ第１のアクセス３１２、または、ＷＬＡＮ３３０へ第２のアクセス３１３）をＵＥに示すインジケーションは、所与のデータ・フロー（例えば、ＩＰフロー）によって要求される帯域幅に少なくとも部分的に基づきうる。一例では、データ・フローによって要求される帯域幅の量に基づいて特定のアクセスにおいてデータ・フローを割り当てるために、ＡＮＤＳＦがＵＥへ通信しうる。このようなインジケーションは、スタンド・アロンの情報を含みうるか、または、他の詳細および基準とともに使用されうる。
【００４３】
一例では、ＡＮＤＳＦは、ＵＥに対して、例えば、１０キロ・ビット／秒を超える帯域幅使用のように、定義された量よりも多い（または少ない）ネットワーク・リソースを利用するすべてのデータ・フローについて、ＷＬＡＮを使用するように指示しうる。これによって、ＵＥがどのアクセスを使用するかに関する情報は、使用される帯域幅に関連するようになる。別の例では、ＡＮＤＳＦは、ＵＥに対して、例えば、９キロ・ビット／秒を超える帯域幅のように、定義されたパラメータよりも多くを割り当てるすべてのデータ・フローについて、宛先ポート８０を用いてＷＬＡＮを使用するように指示しうる。これによって、データ・フローのためにＵＥがどのアクセスを使用するかに関する情報は、使用される帯域幅に関連し、データ・フローを生成するアプリケーションに基づくようになる。また別の例では、ＡＮＤＳＦは、ＵＥに対して、ＵＥで動作しているアプリケーションに基づいて、特定のアクセスを使用するように指示しうる。１つの態様では、オペレータが、ＵＥが特定のアクセスで使用しうるおのおののデータ・フローのために許容されたスループットに関するインジケーションを提供しうる。１つの態様では、本明細書で記載された、提案された技術は、例えば３ＧＰＰ  ＴＳ  ２４．３１２等において、ＡＮＤＳＦのために定義されたＭＯに、追加の情報を加えることによって実現されうる。
【００４４】
別の例では、ＡＮＤＳＦは、ＵＥに対して、複数の選択基準からの１つの基準に基づいて、データ・フローのためのアクセスを選択するように指示しうる。例えば、前述したように、帯域幅基準に関するポリシーが指定されうる。例えば、ファイル・サイズ基準に関するポリシーは、トランザクションのファイル・サイズが所与のサイズしきい値を上回る（または下回る）のであれば、データ・フローにために所与のアクセスが使用されるべきであることを示しうる。一例では、このファイル・サイズ基準は、プロトコルが実際のダウンロード前にファイル・サイズ・ネゴシエーションまたはインジケーションを考慮するポッドキャスト・ダウンロードにおいて役立ちうる。例えば、アプリケーション名／ＩＤ基準に関するポリシーは、（例えば、名前またはＩＤによって識別される）所与のアプリケーションによって生成されたすべてのトラフィックが、所与のアクセスを介してルーティングされうることを示しうる。別の例では、役割ＩＤ基準に関するポリシーは、自身を、ボイス・オーバＩＰストリーム（ＶｏＩＰ）またはビデオ・ストリームであると表明し、このポリシーは、これにしたがって指定されうる。また別の例では、前述されたポリシーの任意の組み合わせであるポリシーもまた指定されうる。当業者であれば、本明細書に記載されたポリシーの例は、限定的ではなく、このポリシーに関する別の例が、本願の精神または範囲に悪影響を与えることなく使用されうることを理解するであろう。
【００４５】
上記例は、データ・フローを用いて記載されているが、当業者であれば、データ・フローの内容は、例えば、データ・フローは、限定される訳ではないが、ＩＰフロー、ストリーミング・データ・フロー、ファイル転送フロー、メッセージング・フロー等を含みうるように、所与の最も広い可能な意味を与えられることが意図されていることを理解するであろう。
【００４６】
図４は、アクセス・ネットワーク発見および選択機能（ＡＮＤＳＦ）エンティティの管理オブジェクト（ＭＯ）の例を例示する。本明細書において提案された開示の態様によれば、ＡＮＤＳＦおよびＭＯの例は、選択基準に基づいて、データ・フローの割当を実施するために使用されうる。図４に示すように、例えば、ＡＮＤＳＦ  ＭＯ４００は、複数のノード（「リーブ」（leaves）または「リーフ」（leaf）としても知られている）を含みうる。一例では、ＡＮＤＳＦ  ＭＯ４００は、データ構造内に構成されたデータ・オブジェクトのセットを備えたデータ構造である。図４は、ＡＮＤＳＦエンティティがユーザ機器（ＵＥ）に対して、ＡＮＤＳＦエンティティによってＵＥへ送信されたインジケーションの一部として提供する情報の例を示す。この情報の例は、ポリシーが適合するＵＥによって生成されたトラフィックを識別するための情報のセットであるフロー説明を含みうる。ノード４１０（別名、リーフ４１０）は、限定される訳ではないが、ソースＩＰアドレス、宛先ＩＰアドレス、ソース・ポート、宛先ポート、プロトコル・タイプ等を含む、ＵＥによって生成されたトラフィックを識別するための情報の例をリストする。ノード４２０（別名、リーフ４２０）（例えば、最小使用帯域幅、最大使用帯域幅等）は、選択基準に基づいて、データ・フローの割り当てを実行するために使用されうる対応する情報をリストする。一例では、ノード４２０における情報はさらに、ファイル・サイズ、アプリケーション名／ＩＤ，または役割ＩＤをも含みうる。簡略のために、これらノード（またはリーブ）のうちのいくつかは、これらの機能は、選択基準に基づいて、データ・フローの割り当てに対して末端であるので、ここでは、図示も説明もされていない。優先アクセスという用語は、ＵＥによって使用されるべきアクセスに関連付けられた優先度のランク付けを表す。優先度をランク付けするために使用される情報は、アクセス技術、アクセスＩＤ、２次アクセスＩＤ、または、アクセス・ネットワーク優先度等を含みうる。有効性エリアという用語は、例えばＡＮＤＳＦエンティティから受信したポリシーがいつ適合するかを判定するためにＵＥによって使用される情報のセットを表す。有効性エリアにおける情報は、位置情報、ローミング情報、公衆陸線モバイル・ネットワーク（ＰＬＭＮ）情報、日時情報等を含みうる。
【００４７】
図５は、例えば、選択基準に少なくとも部分的に基づいて、無線通信ネットワークにおけるデータ・フローを割り当てるための第１の例のフロー図５００を例示する。一例では、選択基準のうちの１または複数は、以下のうちの１または複数である。データ・フロー帯域幅要件、ファイル・サイズ、アプリケーション名／ＩＤ、または役割ＩＤ。また別の例では、選択基準は、上にリストされた例の組み合わせである。ブロック５１０では、ネットワーク・エンティティ（例えば、ＡＮＤＳＦ）から、少なくとも１つの管理オブジェクト（ＭＯ）が受信される。少なくとも１つのＭＯは、例えば帯域幅要件のように、データ・フローのあるリソース要件に少なくとも部分的に基づいて、ネットワークの利用可能なアクセス（例えば、ＷＬＡＮ、３ＧＰＰ等）から選択するための少なくとも１つのインジケーションを含みうる。一例では、このインジケーションは、代わりに、データ・フロー等を生成するアプリケーションを参照しうる。
【００４８】
一例では、この少なくとも１つのインジケーションは、例えば１０キロ・ビット／秒を超える帯域幅のように、定義されたパラメータよりも多くを割り当てるデータ・フローについて、所与のアクセス（例えば、ＷＬＡＮ）を使用するようにＵＥに対して示しうる。別の例では、少なくとも１つのインジケーションは、ＵＥに対して、特定のアプリケーションによって生成された、あるいは、特定のプロトコル（例えば、宛先ポート８０）および使用された帯域幅（例えば、１０キロ・ビット／秒を超える）によって送信されたデータ・フローについて、所与のアクセスを使用するように示しうる。さらに別の例では、このインジケーションは、ＵＥが特定のアクセスに対して割り当てうるデータ・フローのおのおのについて許容されているスループットを示しうる。
【００４９】
ブロック５１０の後、ブロック５２０では、所与のデータ・フローの帯域幅要件が判定されうる。ブロック５３０では、利用可能なアクセスのうちの１つが、判定された帯域幅要件と、少なくとも１つのインジケーションとの比較に少なくとも部分的に基づいて選択されうる。１つの態様では、図５のステップにおける１または複数が、ユーザ機器によって、または、ユーザ機器における構成要素（単数または複数）によって実行される。
【００５０】
図６は、例えば、データ・フロー選択基準に少なくとも部分的に基づいて、無線通信ネットワークにおいてデータ・フローを割り当てるための第１の例のデバイス６００を例示する。一例では、選択基準のうちの１つは、データ・フロー帯域幅要件である。通信デバイスとして、または、通信デバイス内で使用するための類似のデバイスとして、デバイス６００が構成されうる。図示するように、デバイス６００は、プロセッサ、ソフトウェア、ハードウェア、またはこれらの組み合わせ（例えば、ファームウェア）によって実現される機能を表す機能ブロックを含みうる。
【００５１】
例示されるように、デバイス６００は、ネットワーク・エンティティから少なくとも１つのＭＯを受信するための電子構成要素６１０を含みうる。ここで、少なくとも１つのＭＯは、データ・フローの帯域幅要件に少なくとも部分的に基づいて、ネットワークの利用可能なアクセスから選択するための少なくとも１つのインジケーションを含む。デバイス６００は、所与のデータ・フローの帯域幅要件（または、ファイル・サイズ・アプリケーションのようなその他いくつかのネットワーク・リソース要件）あるいは、例えば、データ・フローを生成するアプリケーション、データ量（例えば、データ・フローに含まれるファイル・サイズ）等のような、データ・フローのその他いくつかの属性を判定するための電子構成要素６２０を含みうる。デバイス６００は、判定された帯域幅要件（または、その他のネットワーク・リソース要件）の、少なくとも１つのインジケーションとの比較に少なくとも部分的に基づいて、利用可能なアクセスのうちの１つを選択するための電子構成要素６３０を含みうる。一例において、１または複数のプロセッサは、デバイス６００の機能を実行するために使用されうる。
【００５２】
デバイス６００は、オプションとして、少なくとも１つのプロセッサを有するプロセッサ・モジュール６０２を含みうる。１つの態様では、デバイス６００は、プロセッサではなく、通信ネットワーク・エンティティとして構成されうる。この場合、プロセッサ６０２は、バス６０４または類似の通信カップリングによって、電子構成要素６１０−６３０と動作可能に通信しうる。プロセッサ６０２は、電子構成要素６１０−６３０によって実行される処理または機能の開始およびスケジューリングを有効にしうる。
【００５３】
関連する態様では、デバイス６００は、トランシーバ・モジュール６０６を含みうる。トランシーバ・モジュール６０６の代わりに、または、トランシーバ・モジュール６０６と連携して、スタンド・アロン受信機および／またはスタンド・アロン送信機が使用されうる。関連するさらなる態様では、デバイス６００は、オプションとして、例えばメモリ・モジュール６０８のように、情報を格納するためのモジュールを含みうる。メモリ・モジュール６０８は、コンピュータ読取可能な媒体を含むことができ、バス６０４等によって、デバイス６００のその他の構成要素に動作可能に接続されうる。メモリ・モジュール６０８は、電子構成要素６１０−６３０、これらのサブ構成要素、またはプロセッサ６０２、あるいは、本明細書で開示された方法の処理および挙動を有効にするためのコンピュータ読取可能なコード、命令群、およびデータを格納するように適応されうる。メモリ・モジュール６０８は、電子構成要素６１０−６３０に関連付けられた機能を実行するためのコード／命令群を保持しうる。メモリ・モジュール６０８の外側にあると示されているが、電子構成要素６１０−６３０は、メモリ６０８内に存在しうることが理解されるべきである。
【００５４】
図７は、例えば、選択基準に部分的に基づいて、データ・フローを割り当てるための第２の例のフロー図を例示する。ブロック７１０では、少なくとも１つのポリシーが受信されうる。ここで、ポリシーは、利用可能な複数のアクセスからアクセスを選択するための少なくとも１つのインジケーションを含む。一例では、ポリシーは、管理オブジェクト（ＭＯ）である。一例では、ポリシーは、ネットワーク・エンティティから受信される。一例では、ネットワーク・エンティティは、アクセス・ネットワーク発見および選択機能（ＡＮＤＳＦ）モジュールである。一例では、アクセスは、無線ローカル・エリア・ネットワーク（ＷＬＡＮ）向け、ＬＴＥネットワーク向け、あるいは３ＧＰＰサービス向けである。一例では、少なくとも１つのインジケーションは、定義されたデータ・レートの値よりも大きな割当を利用するデータ・フローのためにどのアクセスを使用するかを示す。別の例では、少なくとも１つのインジケーションは、特定のタイプのアプリケーションによって生成され、特定のプロトコルを利用するか、または、ある量の帯域幅を消費するデータ・フローのために、どのアクセスを使用するかを示す。別の例では、少なくとも１つのインジケーションは、データ・フローのおのおのについて許容されたスループットに基づいて、どのアクセスを使用するかを示す。ブロック７２０では、選択基準は、データ・フローに基づいて決定されうる。一例において、選択基準は、下記のうちの１つでありうる。データ・フローの帯域幅要件、データ・フローまたはトラフィックを生成するアプリケーション、データ・フローを伝送するために使用されるプロトコル、ファイル・サイズ、アプリケーション名／ＩＤ、役割ＩＤ、または、データ・フローのスループット。
【００５５】
当業者であれば、データ・フローの帯域幅要件は、本開示の範囲または精神に悪影響を与えることなく、限定される訳ではないが、例えば、アプリケーション、用途、データ・タイプ、設計選択、ユーザ選択等のようなさまざまな要因に依存しうることを理解するであろう。したがって、帯域幅要件がどのようにして決定されるのかは異なりうる。ブロック７３０では、アクセスは、決定された選択基準および少なくとも１つのインジケーションに基づいて選択されうる。１つの態様では、図７におけるステップのうちの１または複数は、ユーザ機器、または、ユーザ機器における構成要素（単数または複数）によって実行される。一例では、ブロック７１０のステップは、トランシーバまたは受信機によって実行されうる。また、ブロック７２０，７３０のステップは、１または複数のプロセッサによって実行されうる。
【００５６】
図８は、例えば、選択基準に少なくとも部分的に基づいて、データ・フローを割り当てるためのデバイス８００の第２の例を例示する。１つの態様では、デバイス８００は、ブロック８１０，８２０，８３０において説明されるような選択基準に基づいて、データ・フローを割り当てる別の態様を提供するように構成された１または複数のモジュールを含む少なくとも１つのプロセッサによって実現されうる。ブロック８１０は、利用可能な複数のアクセスからアクセスを選択するために、少なくとも１つのインジケーションを含む少なくとも１つのポリシーを受信する手段を例示する。ブロック８２０は、データ・フローに基づいて、選択基準を決定するための手段を例示する。ブロック８３０は、決定された選択基準と少なくとも１つのインジケーションとに基づいてアクセスを選択する手段を例示する。
【００５７】
例えば、おのおののモジュールは、ハードウェア、ファームウェア、ソフトウェア、あるいはこれらの任意の組み合わせを含む。１つの態様では、デバイス８００は、少なくとも１つのプロセッサと通信する少なくとも１つのメモリによって実現される。
【００５８】
一例では、本明細書で説明されたような、実例となる構成要素、フロー図、論理ブロック、モジュール、および／または、ステップが、１または複数のプロセッサを用いて実施または実現される。１つの態様では、プロセッサはメモリに接続されている。このメモリは、本明細書に記載されたさまざまなフロー図、論理ブロック、および／または、モジュールを実施または実現するためにプロセッサによって実行されるべきデータ、メタデータ、プログラム命令群等を格納する。図９は、例えば、選択基準に少なくとも部分的に基づいてデータ・フローを割り当てるための処理を実行するために、メモリ９２０と通信するプロセッサ９１０を含むデバイス９００の例を例示する。一例において、デバイス９００は、図５，７に例示されたアルゴリズムを実施するために使用される。１つの態様では、メモリ９２０はプロセッサ９１０内に配置される。別の態様では、メモリ９２０はプロセッサ９１０外に存在する。１つの態様では、プロセッサは、本明細書に記載されたさまざまなフロー図、論理ブロック、および／または、モジュールを実装または実現する回路を含む。
【００５９】
当業者であれば、図５，７におけるフロー図の例で開示されるステップは、本開示の範囲および精神から逸脱することなく、他の順序に相互交換されうることを理解するであろう。さらに、当業者であれば、このフロー図内で例示されているステップは限定的ではなく、その他のステップも含まれうるか、あるいは、このフロー図の例におけるステップのうちの１または複数が、本開示の範囲および精神に悪影響を与えることなく削除または結合されうることを理解するであろう。
【００６０】
当業者であればさらに、本明細書で開示された例に関連して記載されたさまざまな例示的な構成要素、論理ブロック、モジュール、回路、および／または、アルゴリズム・ステップが、電子工学ハードウェア、ファームウェア、コンピュータ・ソフトウェア、あるいはこれらの組み合わせによって実現されることを理解するであろう。ハードウェア、ファームウェア、およびソフトウェアの相互置換性を明確に例示するために、例示的なさまざまな構成要素、ブロック、モジュール、回路、および／または、アルゴリズム・ステップが、それらの機能の観点から一般的に記述された。これら機能がハードウェア、ファームウェア、またはソフトウェアとして実現されるかは、特定のアプリケーションおよびシステム全体に課せられている設計制約に依存する。当業者であれば、特定のアプリケーションのおのおのに応じて変化する方式で、上述した機能を実現することができる。しかしながら、この適用判断は、本発明の範囲または精神からの逸脱をもたらすものと解釈されるべきではない。
【００６１】
例えば、ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラマブル論理回路（ＰＬＤ）、フィールド・プログラマブル・ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。ソフトウェアを用いて、本明細書に記載された機能を実行するモジュール（例えば、手順、機能等）によって実現される。ソフトウェア・コードは、メモリ・ユニット内に格納され、プロセッサによって実行されうる。さらに、本明細書で記載された例示的なさまざまなフロー図、論理ブロック、モジュール、および／または、アルゴリズム・ステップはまた、当該技術で周知の任意のコンピュータ読取可能な媒体で伝送されるコンピュータ読取可能な命令群としてコード化されるか、あるいは、当該技術で周知の任意のコンピュータ・プログラム製品で実現されうる。１つの態様では、コンピュータ読取可能な媒体は、非一時的なコンピュータ読取可能な媒体でありうる。
【００６２】
１または複数の例では、ここで説明されたステップまたは機能が、ハードウェア、ソフトウェア、ファームウェア、またはこれらの任意の組み合わせで実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を含みうる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００６３】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。
【図１】
2013517708.tif 000003
【図２】
2013517708.tif 000004
【図３】
2013517708.tif 000005
【図４】
2013517708.tif 000006
【図５】
2013517708.tif 000007
【図６】
2013517708.tif 000008
【図７】
2013517708.tif 000009
【図８】
2013517708.tif 000010
【図９】
2013517708.tif 000011
【国際調査報告】
2013517708.tif 000012
2013517708.tif 000013
2013517708.tif 000014
2013517708.tif 000015